【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  スタキボトリス（Stachybotrys）属から得られ、配列番号２に示すアミノ酸配列を有するフェノール酸化酵素に対して少なくとも65％の同一性を有することを特徴とする精製フェノール酸化酵素。
【請求項２】  染料または色彩化合物が関与している色彩を変化させることができることを特徴とする請求項１記載のフェノール酸化酵素。
【請求項３】  SDS−ポリアクリルアミドゲル電気泳動による測定によって、見かけの分子量が煮沸後増加を示すことを特徴とする請求項１記載のフェノール酸化酵素。
【請求項４】  スタキボトリス（Stachybotrys）属が、スタキボトリス・パービスポラ（S. parvispora）、スタキボトリス・チャータラム（S. chartarum）、スタキボトリス・カンパレンシス（S. kampalensis）、スタキボトリス・テオブロマ（S. theobromae）、スタキボトリス・ビスビ（S. bisbyi）、スタキボトリス・シリンドロスポラ（S. cylindrospora）、スタキボトリス・ディクロア（S. dichroa）、スタキボトリス・エナンセス（S. oenanthes）、およびスタキボトリス・ニラゲリカ（S. nilagerica）を含むことを特徴とする請求項１記載のフェノール酸化酵素。
【請求項５】  スタキボトリス・パービスポラ（S. parvispora）がMUCL受託番号38996を有することを特徴とする請求項４記載のフェノール酸化酵素。
【請求項６】  スタキボトリス・チャータラム（S. chartarum）がMUCL受託番号38898を有することを特徴とする請求項４記載のフェノール酸化酵素。
【請求項７】  オクテロニー（オクタロニー）（Ouchterlony）法を用いて免疫沈降線によって測定した場合に、MUCL受託番号38996のスタキボトリス・パービスポラ（S. parvispora）から得ることができるフェノール酸化酵素に共通の少なくとも１個の抗原決定基を有することを特徴とする請求項１記載のフェノール酸化酵素。
【請求項８】  オクテロニー（オクタロニー）（Ouchterlony）法を用いて免疫沈降線によって測定した場合に、MUCL受託番号38898のスタキボトリス・チャータラム（S. chartarum）から得ることができるフェノール酸化酵素に共通の少なくとも１個の抗原決定基を有することを特徴とする請求項１記載のフェノール酸化酵素。
【請求項９】  SDS-PAGEによって測定した見かけの非変性分子量が38kDであることを特徴とする請求項１記載のフェノール酸化酵素。
【請求項１０】  SDS-PAGEによって測定した見かけの非変性分子量が30.9kDであることを特徴とする請求項１記載のフェノール酸化酵素。
【請求項１１】  ABTSを基質とし、20℃、２分間インキュベートすることによって測定した至適pHが5.0〜7.0であることを特徴とする請求項１記載のフェノール酸化酵素。
【請求項１２】  シリンガアルディジンを基質とし、20℃、２分間インキュベートすることによって測定した至適pHが6.0〜7.5であることを特徴とする請求項１記載のフェノール酸化酵素。
【請求項１３】  ２，６−ジメトキシフェノールを基質とし、20℃、２分間インキュベートすることによって測定した至適pHが7.0〜9.0であることを特徴とする請求項１記載のフェノール酸化酵素。
【請求項１４】  配列番号２に示すアミノ酸配列を有することを特徴とする請求項１記載のフェノール酸化酵素。
【請求項１５】  請求項１記載のフェノール酸化酵素をコードする単離ポリヌクレオチド。
【請求項１６】  配列番号１または配列番号３に示す核酸配列を有することを特徴とする請求項１５記載の単離ポリヌクレオチド。
【請求項１７】  組換え宿主細胞内においてスタキボトリス（Stachybotrys）属から得られるフェノール酸化酵素を産生する方法であって、 
（a）請求項１５記載のポリヌクレオチドを含む組換え宿主細胞を得て、 
（ｂ）前記フェノール酸化酵素の産生に適した条件下において前記宿主細胞を増殖させ、さらに、
（ｃ）必要に応じて、産生されたフェノール酸化酵素を回収する、工程を含むことを特徴とする方法。
【請求項１８】  前記フェノール酸化酵素が、スタキボトリス・パービスポラ（S. parvispora）、スタキボトリス・チャータラム（S. chartarum）、スタキボトリス・カンパレンシス（S. kampalensis）、スタキボトリス・テオブロマ（S. theobromae）、スタキボトリス・ビスビ（S. bisbyi）、スタキボトリス・シリンドロスポラ（S. cylindrospora）、スタキボトリス・ディクロア（S. dichroa）、スタキボトリス・エナンセス（S. oenanthes）、およびスタキボトリス・ニラゲリカ（S. nilagerica）を含むスタキボトリス（Stachybotrys）属から得られることを特徴とする請求項１７記載の方法。
【請求項１９】  前記フェノール酸化酵素が、スタキボトリス・チャータラム（S. chartarum）から得られ、配列番号２に示すアミノ酸配列を有することを特徴とする請求項１７記載の方法。
【請求項２０】  前記ポリヌクレオチドが、配列番号１もしくは配列番号３に示す配列を有する核酸を含むか、または、中または高ストリンジェントな条件下において配列番号１もしくは配列番号３に示す配列を有する核酸とハイブリダイズすることができるか、または、配列番号１もしくは配列番号３に示す配列を有する核酸と相補的であることを特徴とする請求項１７記載の方法。
【請求項２１】  前記宿主細胞が、糸状菌、酵母菌およびバクテリアを含むことを特徴とする請求項１７記載の方法。
【請求項２２】  前記糸状菌が、アスペルギルス（Aspergillus）属の種であることを特徴とする請求項２１記載の方法。
【請求項２３】  前記糸状菌が、トリコデルマ（Trichoderma）属の種であることを特徴とする請求項２１記載の方法。
【請求項２４】  配列番号１もしくは配列番号３に示す配列を有する核酸に対して少なくとも65％の同一性を有するか、または、中または高ストリンジェントな条件下において配列番号１もしくは配列番号３に示す配列を有する核酸とハイブリダイズすることができるか、または、配列番号１もしくは配列番号３に示す配列を有する核酸と相補的であるポリヌクレオチドを含むことを特徴とする宿主細胞。
【請求項２５】  糸状菌、酵母菌またはバクテリアを含むことを特徴とする請求項２４記載の組換え宿主細胞。
【請求項２６】  前記バクテリアが、バチルス（Bacillus）属およびエシェリヒア（Escherichia）属を含むことを特徴とする請求項２５記載の宿主細胞。
【請求項２７】  前記宿主がバクテリアであることを特徴とする請求項２５記載の宿主細胞。
【請求項２８】  前記ポリヌクレオチドが、配列番号２に示すアミノ酸配列に対して少なくとも65％の同一性を有するフェノール酸化酵素をコードすることを特徴とする請求項２５記載の宿主細胞。
【請求項２９】  前記フェノール酸化酵素が、配列番号２に示すアミノ酸配列を有することを特徴とする請求項２８記載の宿主細胞。
【請求項３０】  スタキボトリス・パービスポラ（S. parvispora）MUCL38896株の実質的に純粋な培養物。
【請求項３１】  スタキボトリス・チャータラム（S. chartarum）MUCL38898株の実質的に純粋な培養物。
【請求項３２】  請求項１記載のフェノール酸化酵素を含むことを特徴とする酵素組成物。
【請求項３３】  前記フェノール酸化酵素が、配列番号２に示すアミノ酸配列を有することを特徴とする請求項３２記載の酵素組成物。